(57)【特許請求の範囲】
【請求項１】
ユーザの顔面に装着されるゴーグル形状の携帯・装着型発光装置であって、
ユーザの顔面に装着された状態で前記ゴーグル形状の左右方向にストライプ状に延び、前記ユーザの目の位置に近づくに従って先細になる断面略三角形状をした部材を用いて構成され、ユーザの目が位置する側に開口部が位置する複数の第１の凹部と、
前記複数の第１の凹部の各々の中に、ストライプ状の長手方向に沿って、前記ユーザの目に向けて発光する姿勢で配置された複数の発光手段と、
前記部材の前記第１の凹部の内面に形成され、前記発光手段からの光を前記ユーザの目に向けて反射する反射手段と、
前記発光手段と前記ユーザの目との間に介在し、前記発光手段からの光を散乱して透過する散乱シートと、
前記発光手段のオン／オフを制御する制御手段と、
前記第１の凹部に対して前記ユーザの目が位置する側と反対側に形成され、前記発光手段からの熱を放熱する熱伝導性部材と
を有し、
前記散乱シートの前記発光手段側の面の当該発光手段に対向する位置に、前記第１の凹部に並行したストライプ状に形成され、当該ストライプ状の長手方向の中心線が前記錯乱シートの面方向において前記発光手段の中心付近を通り、且つ略コの字形状に前記発光手段と反体側に向けて窪んだ第２の凹部が形成され、
前記散乱シートの前記発光手段側の面の隣接する前記第２の凹部の間に、前記第１の凹部に並行したストライプ状に形成され、当該ストライプ状の長手方向の中心線が前記錯乱シートの面方向において前記第１の凹部の前記部材の前記断面略三角形状の頂点付近を通り、且つ略コの字形状に前記部材に向けて突き出た第１の凸部が形成され、
当該第１の凸部と、前記部材の前記頂点との間には隙間が形成されており、
前記散乱シートの前記ユーザの目が位置する側の面の前記第２の凹部に対応する位置には、当該第２の凹部と略同じ略コの字形状で前記ユーザの目が位置する側に突き出た第２の凸部が形成され、
前記散乱シートの前記ユーザの目が位置する側の面の前記第１の凸部に対応する位置には、当該第１の凸部と略同じ略コの字形状で前記発光手段に向けて窪んだ第３の凹部が形成されている
携帯・装着型発光装置。
【請求項２】
前記発光手段および前記制御手段に電力を供給する電池を収容する電池収納手段
をさらに有し、
前記制御手段および前記電池収納手段は、前記第１の凹部、前記発光手段および前記散乱シートが収容されたモジュールと所定の距離を隔てて配置され、相互に電線を介して接続されている
請求項１に記載の携帯・装着型発光装置。
【発明の詳細な説明】
【技術分野】
【０００１】
本発明は、時差ぼけ解消やうつ病予防等に効果を発揮できる携帯・装着型発光装置に関するものである。
【背景技術】
【０００２】
日光浴は、時差ぼけ解消やうつ病予防に効果的である。
従来から、太陽光に近い波長の光の発光手段を設け、この発光手段からの光を人体に照射することで、室内でも時差ぼけ解消やうつ病予防を可能にするシステムがある。
【発明の概要】
【発明が解決しようとする課題】
【０００３】
しかしながら、上述したシステムは、人体全体に光を照射するものであり、規模が大きく、持ち運びが難しく、携帯性がないという問題がある。
【０００４】
本発明はかかる事情に鑑みてなされたものであり、その目的は、小規模で携帯可能な構成で、時差ぼけ解消やうつ病予防に効果を発揮できる携帯・装着型発光装置を提供することを目的とする。
【課題を解決するための手段】
【０００５】
本願の請求項１の発明は、ユーザの顔面に装着されるゴーグル形状の携帯・装着型発光装置であって、ユーザの顔面に装着された状態で前記ゴーグル形状の左右方向にストライプ状に延び、前記ユーザの目の位置に近づくに従って先細になる断面略三角形状をした部材を用いて構成され、ユーザの目が位置する側に開口部が位置する複数の第１の凹部と、前記複数の第１の凹部の各々の中に、ストライプ状の長手方向に沿って、前記ユーザの目に向けて発光する姿勢で配置された複数の発光手段と、前記部材の前記第１の凹部の内面に形成され、前記発光手段からの光を前記ユーザの目に向けて反射する反射手段と、前記発光手段と前記ユーザの目との間に介在し、前記発光手段からの光を散乱して透過する散乱シートと、前記発光手段のオン／オフを制御する制御手段と、前記第１の凹部に対して前記ユーザの目が位置する側と反対側に形成され、前記発光手段からの熱を放熱する熱伝導性部材と
を有し、前記散乱シートの前記発光手段側の面の当該発光手段に対向する位置に、前記第１の凹部に並行したストライプ状に形成され、当該ストライプ状の長手方向の中心線が前記錯乱シートの面方向において前記発光手段の中心付近を通り、且つ略コの字形状に前記発光手段と反体側に向けて窪んだ第２の凹部が形成され、前記散乱シートの前記発光手段側の面の隣接する前記第２の凹部の間に、前記第１の凹部に並行したストライプ状に形成され、当該ストライプ状の長手方向の中心線が前記錯乱シートの面方向において前記第１の凹部の前記部材の前記断面略三角形状の頂点付近を通り、且つ略コの字形状に前記部材に向けて突き出た第１の凸部が形成され、当該第１の凸部と、前記部材の前記頂点との間には隙間が形成されており、前記散乱シートの前記ユーザの目が位置する側の面の前記第２の凹部に対応する位置には、当該第２の凹部と略同じ略コの字形状で前記ユーザの目が位置する側に突き出た第２の凸部が形成され、前記散乱シートの前記ユーザの目が位置する側の面の前記第１の凸部に対応する位置には、当該第１の凸部と略同じ略コの字形状で前記発光手段に向けて窪んだ第３の凹部が形成されている。
【０００７】
本発明の第２の観点の携帯・装着型発光装置は、ユーザの顔面に装着されるゴーグル形状の携帯・装着型発光装置であって、目を刺激する光を発光する発光手段と、前記発光手段からの光を反射して、前記光発光手段を装着した前記ユーザの目に向けて反射する反射手段と、前記発光手段のオン／オフを制御する制御手段と、前記発光手段からの熱を外部に放出する放熱手段とを有する。
本発明の第３の観点の携帯・装着型発光装置は、ユーザの顔面に装着されるゴーグル形状の携帯・装着型発光装置であって、ユーザの顔面に装着された状態で、ユーザの目と対向する面上に形成された複数の発光手段と、前記発光手段と前記ユーザの目との間に介在し、前記発光手段からの光を散乱して透過する散乱シートと、前記発光手段のオン／オフを制御する制御手段と、前記発光手段からの熱を外部に放出する放熱手段とを有する。
【発明の効果】
【０００８】
本発明によれば、小規模で携帯可能な構成で、時差ぼけ解消やうつ病予防に効果を発揮できる携帯・装着型発光装置を提供することができる。
【図面の簡単な説明】
【０００９】
【図１】図１は、本発明の第１実施形態の発光機能付ゴーグルの正面図である。
【図２】図２は、本発明の第１実施形態の発光機能付ゴーグルの背面図である。
【図３】図３は、本発明の第１実施形態のＬＥＤ取り付け領域付近の断面構成図である。
【図４】図４は、本発明の第１の実施形態の発光機能付ゴーグルのシステム構成図である。
【図５】図５は、第１実施形態の変形例に係る発光機能付ゴーグルの背面図である。
【図６】図６は、図５に示す発光面の断面構成図である。
【図７】図７は、図５に示す発光面のその他の断面構成図である。
【図８】図８は、本発明の第２実施形態の発光機能付ゴーグルの背面図である。
【図９】図９は、本発明の第３実施形態の発光機能付ゴーグルの断面構成図である。
【発明を実施するための形態】
【００１０】
以下、本発明の発光機能付ゴーグルについて説明する。
＜第１実施形態＞
図１は、本発明の発光機能付ゴーグル１０の正面図、図２は本発明の発光機能付ゴーグル１０の背面図である。
図１および図２に示すように、発光機能付ゴーグル１０は、ゴーグル形状をしており、人の頭部に両目を覆った状態で装着される。
【００１１】
図２に示すように、発光機能付ゴーグル１０の背面には、一般的なゴーグルのレンズに相当する位置に滑らかな曲線にカーブした発光面３が形成されている。
図３は、発光面３の断面構成図である。
図３に示すように、装着時に人間の目６０と対向する側に、複数の凹部１３が設けられている。
凹部１３は、発光面３の目６０と対向する一部の領域、あるいは発光面３の全域に所定の間隔で設けられている。
凹部１３には、目６０に向けて光を発光するようにＬＥＤ等の発光部５が配設されている。一つの凹部１３に複数の発光部５を配設してもよい。
凹部１３の側面１３ａは、傾斜しており、反射面となっている。
【００１２】
発光部５は、高い伝熱性の金属板１５の上に形成されている。
発光機能付ゴーグル１０の外側に位置する金属板１５の面には、放熱用の複数の凸部１７が形成されている。
【００１３】
凹部１３と目６０との間には、発光部５からの光を散乱して透過する散乱シート１９が配設されている。
散乱シート１９は、例えば、半透明のアクリル板である。
【００１４】
複数の発光部５からの光は、散乱シート１９で散乱されて、例えば、２５００ルクス以上、且つ５５００〜６０００Ｋとなって目６０に入射する。
【００１５】
また、発光機能付ゴーグル１０の背面には、ベルトを着脱可能に取り付ける取り付け部５０が設けられている。
【００１６】
発光部５からの発光する光の色、並びに側面３ａの色は、発光部５からの光が側面３ａで反射した時に、やや薄い青色になるように規定される。
例えば、発光部５が青色発光機能を有し、側面３ａが白色でもよいし、発光部５が白色光を発光し、側面３ａが青色でもよい。
【００１７】
図４は、発光機能付ゴーグル１０のシステム構成図である。
図４に示すように、発光機能付ゴーグル１０は、例えば、発光駆動回路２１、タイマー２３、操作部２５、メモリ２７、処理回路２９、バッテリ３５を備えた操作モジュール５０を有している。
操作モジュール５０は、発光機能付ゴーグル１０の本体の発光部５と所定の長さの電線を介して接続されている。
【００１８】
発光駆動回路２１は、処理回路２９からの制御にも基づいて、図３に示す複数の発光部５のオン／オフを制御する。
タイマー２３は、タイマー機能を備え、タイマー情報を処理回路２９に出力する。
操作部２５は、ユーザによって操作され、操作に応じた操作信号を処理回路２９に出力する。
【００１９】
メモリ２７は、処理回路２９が実行する処理内容を規定したプログラム、並びにデータを記憶する。
メモリ２７は、時差ぼけ解消やうつ病予防等の複数の目的に応じて発光部５のオン／オフ制御を示す制御データを記憶する。
【００２０】
処理回路２９は、メモリ２７から読み出したプログラムを実行し、操作部２５からの操作信号、タイマー２３からのタイマー情報を基に、発光駆動回路２１を制御する。
処理回路２９は、操作信号で選択された目的に応じた制御データをメモリ２７から読み出し、当該読み出した制御データに基づいて、発光駆動回路２１を制御する。
【００２１】
操作モジュール５０は、バッテリ３５を収納する収納部を備え、バッテリ３５からの電力によって発光駆動回路２１、タイマー２３および処理回路２９を駆動する。バッテリ３５は、乾電池である。
【００２２】
以下、発光機能付ゴーグル１０の動作例を説明する。
ユーザが航空機内等で、操作部２５を操作して行き先の国を指定する情報を入力する。処理回路２９は、入力された国の現時刻と、各時刻について予め規定された太陽光の照度を示すデータとを基に、発光駆動回路２１を制御する。
これにより、発光部５からの光に応じて発光機能付ゴーグル１０の装着者の目に当たる光が、到着先の国の時刻の太陽光の照度に近くなるように制御される。
なお、設定時に行き先の国の太陽光の照度と一致させる必要はなく、現在地の太陽光の照度と、行き先の国の太陽光の照度とを時間が経過するに従って近づけるように、発光部５を制御してもよい。
このようにすることで、発光機能付ゴーグル１０を装着したユーザは、行き先の国の時刻に体を徐々に馴らすことができ、時差ぼけ予防になる。
【００２３】
また、例えば、ユーザによる操作部２５の操作によって、うつ予防モードに設定された場合には、例えば、反射面３で反射して両目に入る光の照度が、全体で２，５００〜１０，０００ルクス以上、になるように規定される。また、色温度は、５５００ケルビン程度が好ましい。
【００２４】
以上説明したように、発光機能付ゴーグル１０によれば、ゴーグル型の小規模で携帯可能な構成で、時差ぼけ解消やうつ病予防に効果を発揮できる。
また、発光機能付ゴーグル１０によれば、タイマー機能を備えているため、発光部５の出力を予め決められたパターンで制御でき、目に当たる光の照度を多様に変化させることができる。これにより、時差ぼけ解消やうつ病予防に効果を高めることができる。
また、発光機能付ゴーグル１０では、乾電池で駆動できるため、充電が不要であり、携帯性に優れている。
【００２５】
＜第１実施形態の変形例＞
図５は、第１実施形態の変形例に係る発光機能付ゴーグル１０の背面図である。
図６は、図５に示す発光面３の断面構成図である。
図５および図６に示すように、本変形例の発光機能付ゴーグル１０の背面の発光面３の散乱シート２１９には、図５内の左右方向に延びるストライプ状の凹部２１１が形成されている。
すなわち、変形例に係る発光機能付ゴーグル１０では、複数の図６に示す発光部１３が、図５内の左右方向に延びるストライプ状の凹部２１１に沿って（図６の紙面垂直方向に）配置されている。凹部２１１は、発光部１３側から見えると凹部として現れる。
このように、凹部２１１を形成することで、発光部１７からの光が散乱シート２１９で散乱されて滑らかに光となって人間の目６０に入射する。
散乱シート２１９と、凹部１３の側面１３ａとは図６に示すように接触していてもよし、図７に示すように一定の隙間を隔てて両者を配置してもよい。
図７に示すように配置することで、発光部１５からの光が隣接する凹部１３にも漏れ、人間の目６０に入射する光をより滑らかにすることができる。
なお、上述した実施形態では、発光部１５が図６内の上下方向に延びるストライプ状の凹部１３内に配置されている場合には、ストライプ状の凹部２１１を上下方向に延びるように形成してもよい。
【００２６】
＜第２実施形態＞
本実施形態の発光機能付ゴーグル１１０は、発光部５の配置構成が第１実施形態とは異なる。
図２に示すように、発光機能付ゴーグル１１０の背面には、一般的なゴーグルのレンズに相当する位置に滑らかな曲線にカーブした反射面５３が形成されている。
また、ゴーグル枠部５７に沿って、複数のＬＥＤ等の発光部５５が配設されている。
【００２７】
反射面５３の左目側の領域側に配設された発光部５５は、例えば、左目側の領域の中央付近に照射されるように指向されている。
また、反射面５３の右目側の領域側に配設された発光部５５は、例えば、右目側の領域の中央付近に照射されるように指向されている。
発光部５は、右目側と左目側に、例えば、それぞれ１０〜２０個、設けられている。
発光部５５は、発光機能付ゴーグル１０内に配置可能な小型のものが用いられ、反射面５３で反射して両目に入る光の照度が、予め規定されたものになるように構成される。また、色温度は、５５００ケルビン程度が好ましい。
また、発光機能付ゴーグル１１０の背面には、ベルトを着脱可能に取り付ける取り付け部５０が設けられている。
【００２８】
発光部５５からの発光する光の色、並びに反射面３の色は、発光部５５からの光が反射面３で反射した時に、やや薄い青色になるように規定あれる。
例えば、発光部５５が青色発光機能を有し、反射面５３が白色でもよいし、発光部５５が白色光を発光し、反射面５３が青色でもよい。
【００２９】
以上説明したように、発光機能付ゴーグル１１０によっても、第１実施形態の発光機能付ゴーグル１０と同様の効果が得られる。
【００３０】
＜第３実施形態＞
図９は、本発明の第３実施形態の発光機能付ゴーグルの発光面３の断面構成図である。
図９に示すように、に示すように、装着時に人間の目６０と対向する側の金属板１５の上に、複数の発光部５が一定の間隔で配置されている。
【００３１】
複数の発光部５からの光は、散乱シート１９で散乱されて、例えば、２５００ルクス以上、且つ５５００〜６０００Ｋとなって目６０に入射する。
【００３２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
発光部５の数、並びに配置は、一例であり、上述したものには限定されない。
また、上述した実施形態では、時差ぼけ解消やうつ病予防に本発明を適用することを例示したが、それ以外の用途に本発明を適用してもよい。
【産業上の利用可能性】
【００３３】
本発明は、時差ぼけ解消やうつ病予防等に効果を発揮するシステムに適用可能である。
【符号の説明】
【００３４】
３…反射面
５…発光部
１０…発光機能付ゴーグル
１９，２１９…散乱シート
２１…発光駆動回路
２３…タイマー
２５…操作部
２７…メモリ
２９…処理回路
３５…バッテリ
【要約】
【課題】  小規模で携帯可能な構成で、時差ぼけ解消やうつ病予防に効果を発揮できる携帯・装着型発光装置を提供する。
【解決手段】  ゴーグル枠部７に沿って、複数のＬＥＤ等の発光部５が配設されている。ユーザが航空機のなかで、操作部２５を操作して行き先の国を指定する情報を入力する。入力された国の現時刻と、各時刻について予め規定された太陽光の照度を示すデータとを基に、発光部５が制御される。これにより、発光部５からの光に応じて発光機能付ゴーグル１０の装着者の目に当たる光が、到着先の国の時刻の太陽光の照度に近くなるように制御される。
【選択図】図２【図１】
0005279056.tif 000002
【図２】
0005279056.tif 000003
【図３】
0005279056.tif 000004
【図４】
0005279056.tif 000005
【図５】
0005279056.tif 000006
【図６】
0005279056.tif 000007
【図７】
0005279056.tif 000008
【図８】
0005279056.tif 000009
【図９】
0005279056.tif 000010